(57)【特許請求の範囲】
【請求項１】
ピン、ヒンジ等の枢着軸をもって弁体が枢着され、該弁体の弁本体を弁口周りの弁座に当接・離接させて、該弁体の開閉をなす枢着式開閉弁において、
弾性を有する素材をもって、板状をなすとともに、ばね部と取付け用基部との一体からなる閉弁付勢手段が使用され、
該閉弁付勢手段のばね部は円弧状をなすとともに前記枢着軸に跨がって配され、
前記取付け用基部が弁座側に固定され、
前記ばね部は弾性を有し、該ばね部の先端が弁体側に弾性をもって当接されてなる、
ことを特徴とする枢着式開閉弁の閉塞機構。
【請求項２】
ピン、ヒンジ等の枢着軸をもって弁体が枢着され、該弁体の弁本体を弁口周りの弁座に当接・離接させて、該弁体の開閉をなす枢着式開閉弁において、
弾性を有する素材をもって、板状をなすとともに、ばね部と取付け用基部との一体からなる閉弁付勢手段が使用され、
該閉弁付勢手段のばね部は円弧状をなすとともに前記枢着軸に跨がって配され、
前記取付け用基部が弁座側に固定され、
前記ばね部は弾性を有し、該ばね部の先端が弁体側と遊隙を存して配される、
ことを特徴とする枢着式開閉弁の閉塞機構。
【請求項３】
閉弁付勢手段の素材はポリプロピレン樹脂、ポリ塩化ビニル樹脂、ＡＢＳ樹脂のいずれかが選択的に採用される請求項１又は２のいずれかに記載の枢着式開閉弁の閉塞機構。
【請求項４】
閉弁付勢手段は取付け用基部を介してボルト・ナットにより固定され、前記取付け用基部の表面側にはナットの把持凹部が形成されてなる請求項１〜３のいずれかに記載の枢着式開閉弁の閉塞機構。。
【請求項５】
下水道管渠用枡の排水口に接続される取付け管に配される防臭装置であって、
前記下水道管渠用枡の排水口に係合して配される係合手段と、該係合手段に連設されるとともに前記取付け管内に配される本体部とを有してなり、
前記本体部は、
ア．前記取付け管の内径よりも所定の隙間を保持する小径の外径を有し、基体をなす円筒体と、
イ．前記円筒体内に所定の角度をもって横断的に塞ぎ、中央部に下方に向けて開口部が形成される隔壁と、
ウ．前記隔壁の開口部を塞ぐとともに、枢着軸回りに回転して流水の流下方向にのみ開く開閉自在の主弁体と、
エ．弾性を有する素材をもって、板状をなすとともに、ばね部と取付け用基部との一体からなり、該ばね部は円弧状をなすとともに前記主弁体の枢着軸に跨がって配され、前記取付け用基部が前記隔壁側に固定され、前記ばね部が開閉動作をなす弁体側に弾性をもって当接されてなる閉弁付勢手段と、
からなり、
前記係合手段は、前記本体部の後端の両側面から該本体部と同一曲率を保持して延設される腕部と、該腕部の端部より側方に突設される係止筒とからなる、
ことを特徴とする下水道管渠用防臭装置。
【請求項６】
下水道管渠用枡の排水口に接続される取付け管に配される防臭装置であって、
前記下水道管渠用枡の排水口に係合して配される係合手段と、該係合手段に連設されるとともに前記取付け管内に配される本体部とを有してなり、
前記本体部は、
ア．前記取付け管の内径よりも所定の隙間を保持する小径の外径を有し、基体をなす円筒体と、
イ．前記円筒体内に所定の角度をもって横断的に塞ぎ、中央部に下方に向けて開口部が形成される隔壁と、
ウ．前記隔壁の開口部を塞ぐとともに、枢着軸回りに回転して流水の流下方向にのみ開く開閉自在の主弁体と、
エ．前記主弁体に開設された開口部を塞ぐとともに、枢着軸回りに回転して流水の流下方向とは逆方向にのみ開く開閉自在の副弁体と、
オ．弾性を有する素材をもって、板状をなすとともに、ばね部と取付け用基部との一体からなり、該ばね部は円弧状をなすとともに前記主弁体及び副弁体の枢着軸に跨がって配され、前記取付け用基部が前記隔壁側に固定され、前記ばね部が開閉動作をなす弁体側に弾性をもって当接されてなる閉弁付勢手段と、
からなり、
前記係合手段は、前記本体部の後端の両側面から該本体部と同一曲率を保持して延設される腕部と、該腕部の端部より側方に突設される係止筒とからなる、
ことを特徴とする下水道管渠用防臭装置。
【請求項７】
請求項５又は６のいずれかにおいて、円筒体の外周は取付け管との間隔を塞ぎ、かつ該取付け管との中心位置を保持する手段が配される下水道管渠用防臭装置。
【請求項８】
上方に集水口が形成され、側方に排水口が形成される集水筒部を備えてなる下水道用臭気防止装置において、
前記集水筒部の排水口回りには同一平面を形成する弁座を有するとともに、前記排水口の上部の集水筒部には複数の第１取付け孔が水平に相並んで開設され、
前記集水筒部の排水口の上部において、該第１取付け孔に対応する第２取付け孔を有する帯板が、該第１取付け孔と該第２取付け孔とに介装される固定具をもって固定され、
前記帯板に対し、枢着軸を介して前記弁座を覆う平板弁部を有する非変形性の開閉弁本体が取り付けられてなり、
かつ、弾性を有する素材をもって、板状をなすとともに、ばね部と取付け用基部との一体からなり、該ばね部は円弧状をなすとともに前記開閉弁本体の枢着軸に跨がって配され、前記取付け用基部が前記枢着軸の上部側に固定され、前記ばね部が開閉動作をなす平板弁部側に弾性をもって当接されてなる閉弁付勢手段が配されてなる、
ことを特徴とする下水道用臭気防止装置。
【発明の詳細な説明】
【技術分野】
【０００１】
この発明は、ピン、ヒンジ等の枢着軸回りに弁体を開閉する枢着式開閉弁の閉塞機構に関し、更に詳しくは、当該枢着式開閉弁の弁体の閉塞動作を補助する閉塞機構に関する。特には、下水道管管渠における管渠用設備の雨水・汚水枡等の管渠用枡における防臭装置の枢着式開閉弁に適用されて好適な閉塞機構に関する。
本発明は特には、該閉塞機構を備えた下水道管渠用防臭装置に関する。
【背景技術】
【０００２】
枢着式開閉弁の閉塞機構は、一般に、ピン、ヒンジ等の枢着軸をもって枢着された弁体を弁口回りの弁座に当接・離接させ、該弁体の開閉をもって流体の断続をなす構成を採るものであり、上流側から下流側への流体の一方向のみの通過を許し、常時は閉塞されているものである。これにより、下流側からの流体及びその雰囲気気体の逆流を防止するものである（公知特許文献１〜６参照）。
このような枢着式開閉弁において、弁体はその自重により閉塞動作をなすものであり、その取付け姿勢によっては半開き状態となり、所期の作用を奏することができないという欠点がある。また、正常の取付け姿勢でも弁体の閉塞力（弁座への当接力）は弁体の重量に依存するものであるので、弁体が軽い場合にはガタ付きが生じ易く、弁体が重い場合には流体が排出されない、との問題点を指摘することができる。
このように、弁体の閉塞力の調整は弁体の重量によっては極めて困難である。
【特許文献１】実開昭６１−８４７８６号公報
【特許文献２】実開昭６１−１８０２８３号公報
【特許文献３】実公昭６１−２３１０５号公報
【特許文献４】実公昭６１−４１８２３号公報
【特許文献５】特開平１１−１３１２１号公報
【特許文献６】特開平１１−５０５１９号公報
【発明の開示】
【発明が解決しようとする課題】
【０００３】
本発明は上記実情に鑑みなされたものであり、この種の枢着式開閉弁において、取付け姿勢に左右されずに弁体の閉塞動作を確実になすことができるとともに、弁体の閉塞力の調整を容易になすことのできる閉塞機構を得ることを目的とする。
本発明はこのため、弁体に簡単に付置される補助手段を開発することによりこの目的を達成したものである。
本発明は併せて、このような補助手段を有する開閉弁を適用して従来の下水道管渠用防臭装置の改善を図ることも他の目的とする。
【課題を解決するための手段】
【０００４】
本発明の第１は枢着式開閉弁の閉塞機構に係り（以下「第１発明」という）、請求項１に記載のとおり、
ピン、ヒンジ等の枢着軸をもって弁体が枢着され、該弁体の弁本体を弁口周りの弁座に当接・離接させて、該弁体の開閉をなす枢着式開閉弁において、
弾性を有する素材をもって、板状をなすとともに、ばね部と取付け用基部との一体からなる閉弁付勢手段が使用され、
該閉弁付勢手段のばね部は円弧状をなすとともに前記枢着軸に跨がって配され、
前記取付け用基部が弁座側に固定され、
前記ばね部は弾性を有し、該ばね部の先端が弁体側に弾性をもって当接されてなる、
ことを特徴とする。
上記構成において、
1)閉弁付勢手段の素材はポリプロピレン樹脂、ポリ塩化ビニル樹脂、ＡＢＳ樹脂のいずれかが選択的に採用されること、
2)閉弁付勢手段は取付け用基部を介してボルト・ナットにより固定され、該取付け用基部の表面側にはナットの把持凹部が形成されてなること、
は適宜採択される技術的事項である。
【０００５】
（作用）
弁体は枢着軸回りに回転動し、常時は閉弁付勢手段の付勢力を受けて弁座に当接され、閉塞動作を採る。
流体が弁体の開方向に作用するとき、流体は弁体に作用する付勢力に抗して弁体を開き、弁口より通過する。
【０００６】
本発明の第２は同じく枢着式開閉弁の閉塞機構に係り（以下「第２発明」という）、請求項２に記載のとおり、
ピン、ヒンジ等の枢着軸をもって弁体が枢着され、該弁体の弁本体を弁口周りの弁座に当接・離接させて、該弁体の開閉をなす枢着式開閉弁において、
弾性を有する素材をもって、板状をなすとともに、ばね部と取付け用基部との一体からなる閉弁付勢手段が使用され、
該閉弁付勢手段のばね部は円弧状をなすとともに前記枢着軸に跨がって配され、
前記取付け用基部が弁座側に固定され、
前記ばね部は弾性を有し、該ばね部の先端が弁体側と遊隙を存して配される、
ことを特徴とする。
1)閉弁付勢手段の素材はポリプロピレン樹脂、ポリ塩化ビニル樹脂、ＡＢＳ樹脂のいずれかが選択的に採用されること、
2)閉弁付勢手段は取付け用基部を介してボルト・ナットにより固定され、該取付け用基部の表面側にはナットの把持凹部が形成されてなること、
は適宜採択される技術的事項である。
【０００７】
（作用）
弁体は枢着軸回りに回転動し、常時は弁体の自重により弁座に当接され、閉塞動作を採る。
流体が弁体の開方向に作用するとき、弁体の遊隙距離に伴う開弁初期は軽い動作をなし、弁体が閉弁付勢手段のばね部に当接した後は、一定の付勢力を受けて安定した開動作をなす。
遊隙を有することにより、わずかな流体を排出し、弁体部の下部に流体が溜まることはない。
【０００８】
上記第１発明と第２発明との組合せ態様は第３発明の枢着式開閉弁の閉塞機構を構成する。
ピン、ヒンジ等の枢着軸をもって弁体が枢着され、該弁体の弁本体を弁口周りの弁座に当接・離接させて、該弁体の開閉をなす枢着式開閉弁において、
ばね部と取付け用基部とからなる閉弁付勢手段の複数が対称を保って使用され、
該閉弁付勢手段はそれぞれ、前記枢着軸に跨がって配されるとともに、
第１の閉弁付勢手段は、前記取付け用基部が弁座側に固定され、前記ばね部は弾性を有し、該ばね部の先端が弁体側に弾性をもって当接されてなり、
第２の閉弁付勢手段は、前記取付け用基部が弁座側に固定され、前記ばね部は弾性を有し、該ばね部の先端が弁体側と遊隙を存して配される、
ことを特徴とする。
上記構成において、
1)閉弁付勢手段の素材はポリプロピレン樹脂、ポリ塩化ビニル樹脂、ＡＢＳ樹脂のいずれかが選択的に採用されること、
2)閉弁付勢手段は取付け用基部を介してボルト・ナットにより固定され、該取付け用基部の表面側にはナットの把持凹部が形成されてなること、
は適宜採択される技術的事項である。
【０００９】
（作用）
弁体は枢着軸回りに回転動し、常時は第１の閉弁付勢手段の付勢力を受けて弁座に当接され、閉塞動作を採る。
流体が弁体の開方向に作用するとき、弁体の遊隙距離に伴う開弁初期は一定の軽い付勢力に受けて開動作をなし、弁体が第２の閉弁付勢手段のばね部に当接した後は、更なる付勢力を受けて安定した開動作をなす。
弁体は第１及び第２の閉弁付勢手段により段階的に開動作を得ることができる。
【００１０】
本発明の第４は下水道管渠用防臭装置に係り（第４発明）、請求項５に記載のとおり、
下水道管渠用枡の排水口に接続される取付け管に配される防臭装置であって、
前記下水道管渠用枡の排水口に係合して配される係合手段と、該係合手段に連設されるとともに前記取付け管内に配される本体部とを有してなり、
前記本体部は、
ア．前記取付け管の内径よりも所定の隙間を保持する小径の外径を有し、基体をなす円筒体と、
イ．前記円筒体内に所定の角度をもって横断的に塞ぎ、中央部に下方に向けて開口部が形成される隔壁と、
ウ．前記隔壁の開口部を塞ぐとともに、枢着軸回りに回転して流水の流下方向にのみ開く開閉自在の主弁体と、
エ．弾性を有する素材をもって、板状をなすとともに、ばね部と取付け用基部との一体からなり、該ばね部は円弧状をなすとともに前記主弁体の枢着軸に跨がって配され、前記取付け用基部が前記隔壁側に固定され、前記ばね部が開閉動作をなす弁体側に弾性をもって当接されてなる閉弁付勢手段と、
からなり、
前記係合手段は、前記本体部の後端の両側面から該本体部と同一曲率を保持して延設される腕部と、該腕部の端部より側方に突設される係止筒とからなる、
ことを特徴とする。
【００１１】
（作用）
閉弁付勢手段により本下水道管渠用防臭装置の主弁体は常時閉弁動作を維持する。これにより、該下水道管渠用防臭装置の下水道管渠用枡へ取付け姿勢に左右されず、所期の作用を保持する。
【００１２】
本発明の第５は下水道管渠用防臭装置に係り（第５発明）、請求項６に記載のとおり、
下水道管渠用枡の排水口に接続される取付け管に配される防臭装置であって、
前記下水道管渠用枡の排水口に係合して配される係合手段と、該係合手段に連設されるとともに前記取付け管内に配される本体部とを有してなり、
前記本体部は、
ア．前記取付け管の内径よりも所定の隙間を保持する小径の外径を有し、基体をなす円筒体と、
イ．前記円筒体内に所定の角度をもって横断的に塞ぎ、中央部に下方に向けて開口部が形成される隔壁と、
ウ．前記隔壁の開口部を塞ぐとともに、枢着軸回りに回転して流水の流下方向にのみ開く開閉自在の主弁体と、
エ．前記主弁体に開設された開口部を塞ぐとともに、枢着軸回りに回転して流水の流下方向とは逆方向にのみ開く開閉自在の副弁体と、
オ．弾性を有する素材をもって、板状をなすとともに、ばね部と取付け用基部との一体からなり、該ばね部は円弧状をなすとともに前記主弁体及び副弁体の枢着軸に跨がって配され、前記取付け用基部が前記隔壁側に固定され、前記ばね部が開閉動作をなす弁体側に弾性をもって当接されてなる閉弁付勢手段と、
からなり、
前記係合手段は、前記本体部の後端の両側面から該本体部と同一曲率を保持して延設される腕部と、該腕部の端部より側方に突設される係止筒とからなる、
ことを特徴とする。
【００１３】
（作用）
閉弁付勢手段により本下水道管渠用防臭装置の主弁体及び副弁体は常時閉弁動作を維持する。これにより、該下水道管渠用防臭装置の下水道管渠用枡へ取付け姿勢に左右されず、所期の作用を保持する。
【００１４】
本発明の第６は下水道管渠用臭気防止装置に係り（第６発明）、請求項８に記載のとおり、
上方に集水口が形成され、側方に排水口が形成される集水筒部を備えてなる下水道用臭気防止装置において、
前記集水筒部の排水口回りには同一平面を形成する弁座を有するとともに、前記排水口の上部の集水筒部には複数の第１取付け孔が水平に相並んで開設され、
前記集水筒部の排水口の上部において、該第１取付け孔に対応する第２取付け孔を有する帯板が、該第１取付け孔と該第２取付け孔とに介装される固定具をもって固定され、
前記帯板に対し、枢着軸を介して前記弁座を覆う平板弁部を有する非変形性の開閉弁本体が取り付けられてなり、
かつ、弾性を有する素材をもって、板状をなすとともに、ばね部と取付け用基部との一体からなり、該ばね部は円弧状をなすとともに前記開閉弁本体の枢着軸に跨がって配され、前記取付け用基部が前記枢着軸の上部側に固定され、前記ばね部が開閉動作をなす平板弁部側に弾性をもって当接されてなる閉弁付勢手段が配されてなる、
ことを特徴とする。
【００１５】
（作用）
閉弁付勢手段により本下水道管渠用防臭装置の開閉弁本体は常時閉弁動作を維持する。これにより、該下水道管渠用防臭装置の下水道管渠用枡へ取付け姿勢に左右されず、所期の作用を保持する。
【発明の効果】
【００１６】
本発明の閉弁付勢手段を有する枢着式開閉弁の閉塞機構によれば、構造が簡単な閉弁付勢手段を付加することにより容易に弁体の閉弁、開弁の調整が可能となる。
本発明の第１・第３の閉弁付勢手段を有する枢着式開閉弁の閉塞機構によれば、枢着式開閉弁自体の取付け姿勢に左右されず、常時には弁体は確実に弁座に当接され、閉塞動作を維持する。また、流体の通過については何らの障害を与えない。
本発明の第２・第３の閉弁付勢手段を有する枢着式開閉弁の閉塞機構によれば、自重によらず弁体への付勢力の調整が段階的になされ、付勢力の調整幅が拡大する。
本閉弁付勢手段の材質、幅、厚さ、更には配設数等を変更することにより、弁体に対する閉塞力を容易に調整することができる。
本発明の下水道管渠用防臭装置・臭気防止装置によれば、閉弁付勢手段を有することにより、確実な閉弁動作を得ることができる。
【発明を実施するための最良の形態】
【００１７】
本発明の枢着式開閉弁の閉塞機構の実施の形態を図面に基づいて説明する。
図１〜図７は本発明の枢着式開閉弁の閉塞機構の一実施形態を示し、下水道管渠用臭気防止装置への適用例を示す。すなわち、図１〜図３は本枢着式開閉弁の閉塞機構を備えた下水道管渠用臭気防止装置Ｓの全体の構成を示し、図４〜図７はその各部の構成を示す。また、図８は臭気防止装置Ｓの設置要領を示す。
なお、本臭気防止装置Ｓの説明において、以下の図例に対応して、流水の吐出される方向を前部とし、流水の流入する側を後部とし、本装置自体をもって左右とする。
【００１８】
下水道管渠用防臭装置Ｓ（図１〜図７参照）
本下水道管渠用防臭装置（以下単に「防臭装置」という）Ｓは、下水道管渠用枡Ｍの取付け管Ｎの排水口部に配され、当該枡Ｍから下水道本管Ｐへの雨水・排水の流下を図り、下水道本管Ｐからの臭気の逸出を防止するものである。
図８は本防臭装置Ｓを含む下水道管渠用枡Ｍの全体構成を示す。
図８に示されるように、下水道管渠用枡Ｍは、側壁体１００と底盤１０２とにより上方に開口する容器部としての本体部が構成され、該開口に取水孔１０４を有する蓋体１０６が載置される。側壁体１００の上縁及び蓋体１０６は道路面Ｈに面一にされ、道路面Ｈからの雨水・汚水を取水孔１０４を介して該枡Ｍの本体部内に導入する。
本枡Ｍの本体部の底盤１０２は地盤Ｉを掘削した孔底に敷設された割栗石Ｊ・均しコンクリートＫ上に載置される。
本枡Ｍの側壁体１００には底盤１０２に接して、あるいは若干の高さを存して排水口１１０が開設され、該排水口１１０より所定の下り角度αをもって取付け管Ｎが取り付けられる。取付け管Ｎは適宜の下り角度をもって更に深い位置にある下水道本管Ｐに接続される。
【００１９】
本防臭装置Ｓは、本体部１０を主体とし、該本体部１０に係止部が一体に形成され、更に弁体及びスペーサ体が装備される。そして、弁体には閉弁付勢手段１が付加されてなる。
【００２０】
本体部１０（図１〜図３参照）
本体部１０は、円筒体を基体とするとともに後部に係止部が形成され、該円筒体内に所定の弁体すなわち枢着式開閉弁が配されてなる。
すなわち、該本体部１０は、基体をなす円筒体１１と、該円筒体１１内に円筒管軸に対して所定の角度βをもって横断的に配される隔壁１２と、該隔壁１２に装備される弁体１３と、該円筒体１１の後部に連設される係止部１４とを含み、更には該円筒体１１の外側に配されるスペーサー環１５とを含む。
本実施態様において、通常にはα＋β＜９０°に設定されるが、９０°を超える態様を除外するものではない。
【００２１】
以下、更にこの本体部１０内の構成を詳しく説明する。
（円筒体１１）
円筒体１１は、所定厚の直円筒体を基本的構成とし、外径が取付け管Ｎの内径よりも空隙を存して配される小径とされる。円筒体１１の前端は管軸に対して斜めに切頭され、後端は概ね管軸に直交して切頭される。
【００２２】
（隔壁１２）
隔壁１２は、円筒体１１内の両側及び上面に所定の角度（本実施形態ではβ）をもって横断的に配され、弁体１３の位置を決めるとともに、弁体１３の閉弁により流体（流水、臭気）の遮断をなす。
該隔壁１２は所定厚を有し、両側部１２ａと上方部１２ｂとにより門形をなし、該門形内に矩形状の開口１２ｃを形成する。該開口１２ｃの底部は円筒体１１の内面となり、曲面形状となる。開口１２ｃはいわゆる「弁口」をなす。
【００２３】
（弁体１３）
弁体１３は、円筒体１１内において、隔壁１２の前面に被さる態様をもって、閉弁位置において隔壁１２の開口１２ｃを密閉状に塞いで配される。
詳しくは、本弁体１３は実質的に所定厚の平板体をなし、上部の取付け部１３ａ、下部の弁本体部１３ｂ、該取付け部１３ａと該弁本体部１３ｂとの間に水平に形成されるヒンジ部としてのＶ溝１３ｃから一体的に形成される。該取付け部１３ａは隔壁１２の上方部１２ｂに当接され、１又は複数箇所（本実施形態では２）に対称を保って、適宜の固定具１７（ボルト１７ａ・ナット１７ｂ）をもって固定される。１８，１９は該固定具１７を装着するための隔壁１２及び弁体１３に開設されたボルト挿通孔である。
しかして、弁本体部１３ｂは隔壁１２の側部１２ａに当接され、Ｖ溝１３ｃを介して開閉動作をなす。詳しくは、弁本体部１３ｂは隔壁１２の上方部１２ｂの一部及び側部１２ａ、更には円筒体１１の内周面に当接させる。隔壁１２の上方部１２ｂの一部及び側部１２ａについては、弁本体部１３ｂの背面が当接され、円筒体１１の内周面については、弁本体部１３ｂの側面が当接される。
上記の機能を発揮する弁体１３として、弁体１３は適宜の硬度と弾性を有する合成樹脂材よりなり、Ｖ溝１３ｃはヒンジとして機能し、特にポリプロピレン樹脂においてはヒンジ効果（当該部に熱処理される。）が期待される。
また、円筒体１１及び隔壁板１２の素材はＡＢＳ樹脂が好適なものとして採用される。
【００２４】
（係止部１４）
係止部１４は、該円筒体１１の後端より腕部２１が後方へ一体的に延設され、また、該腕部２１の端部両側には係止筒２２が側方へ突出して形成される。係止筒２２は係止手段の一態様である。該腕部２１は円筒体１１と同心かつ同一半径（曲率）を採る。該腕部２１は、本実施形態では鉛直投影面において、円筒体１１の管軸より下方に一定の傾斜角γをもって傾斜するが、管軸と同一であってもよい。係止筒２２の差渡し距離は装着される取付け管Ｎの排水口１１０の径より大きくされ、排水口１１０回りに係止される。なお、該腕部２１が円筒体１１の管軸より下方に傾斜することにより、係止筒２２の取付け管Ｎの排水口１１０に対する係止は余裕が生じる。本実施形態では、傾斜角γは１５°前後を採る。
図において、２２ａは係止筒２２の内孔である。図例では、内孔２２ａは貫通孔となっているが、盲穴あるいは穴なしであってもよい。
【００２５】
（スペーサー環１５）
スペーサー環１５は、所定の厚みを保持する円筒体よりなり、本体部１０の円筒体１１の外周に突設された突条２４に当接するように円筒体１１の後部より押し込み、該円筒体１１の後部に嵌合装着される。しかして、該スペーサー環１５の厚みは、設置対象の取付け管Ｎとの隙間を閉塞するに足るものであり、該スペーサー環１５は円筒体１１と取付け管Ｎとの水密を保持するともに、円筒体１１の中心を保持する。
該スペーサー環１５の素材は他の部材とは異なり、若干の柔軟性を有するもの及び又は水密性のある発泡体が選ばれる。
なお、該スペーサー環１５は省略されうるものであり、これに替えて円筒体１１と取付け管との間に充填材が充填される。
本防臭装置を構成する部材（スペーサー環１５を除く）の素材につき、硬質かつ水密素材が使用される。合成樹脂材はこの要請を満たし、かつ軽量であることから推奨されるが、他の素材、例えば金属等を除外するものではない。
【００２６】
閉弁付勢手段１（図１〜図５参照）
本実施形態の防臭装置Ｓにおいて、弁体１３に閉弁付勢手段１が付加されることを特徴とする。
該閉弁付勢手段１は弁体１３の幅方向に１又は複数（本実施形態では２）、かつ対称を保持してＶ溝１３ｃに跨がって配され、弁本体部１３ｂを所定の付勢力により隔壁１２の側部１２ａの前面すなわち弁座に押し当て、その閉弁機能を保持する。
もっと詳しくは、本閉弁付勢手段１は弾性を有する素材をもって、ばね部２と取付け用基部３とからなり、該取付け用基部３のボルト挿通孔４を介して適宜の取付け手段（ボルト・ナット、埋込みボルト、接着剤など）をもって弁体１３の上部の取付け部１３ｂに取り付けられる。本実施形態では該取付け手段は固定具１７が兼用される。ばね部２は本閉弁付勢手段１の機能部をなし、弁体１３のＶ溝１３ａを跨いで配され、断面形状において円弧状をなし、その厚さは先端に至るにつれ低減される。すなわち、取付け用基部３の厚さをｈ、ばね部２の基部寄りの厚さをｉ、先端寄りの厚さをｊとしたとき、ｈ＞ｉ＞ｊを採る。ばね部２の円弧部の先端は、自然状態（すなわち無負荷状態）で、取付け用基部３の延長線よりも突出する。
該閉弁付勢手段１は平面形状で台形を呈する。しかし、この態様に限定されない。該閉弁付勢手段１の厚さおよび幅変化は弾性力の調整に寄与する。
また、該閉弁付勢手段１の素材は、特性（ばね弾性値、耐久性加工性、経済性、腐食性など）の関係からポリプロピレン樹脂（ＰＰ）、ポリ塩化ビニル樹脂（ＰＶＣ）、ＡＢＳ樹脂が採用されるが、特に限定されず、他のばね特性を有する素材であれば、他の合成樹脂、金属などを採用することができる。
【００２７】
（閉弁付勢手段１の作用）
しかして、本閉弁付勢手段１は自然状態すなわち無負荷状態ではばね部２の先端は取付け用基部３の延長線よりも突出するものであり、定常状態では、そのばね部２においてたわみ変形を受けて弾性をもって弁体１３の弁本体部１３ｂの上面に当接し、閉弁を保持する。したがって、該閉弁付勢手段１は常時の無流水時は弁体１３を押圧付勢し閉弁状態を保持する。
【００２８】
（他の閉弁付勢手段１Ａ）（図６・図７参照）
図６及び図７は閉弁付勢手段の他の態様を示す。図６はこの閉弁付勢手段１Ａの平面形状を示し、図７はその側面形状を示す。
本閉弁付勢手段１Ａは、平面形状において逆台形状をなす。すなわち、ばね部２Ａはテーパー状をなし、取付け用基部３Ａでは同一幅を採る。断面の態様すなわち厚さは先の閉弁付勢手段１に準じ、先端に至るにつれ低減される。幅及び厚さの変化により素材に応じてばね弾性の自在の調整を得る。
更に、本態様において特徴的なことは、取付け用基部３Ａの前面において、ボルト挿通孔４を囲んで、ナット把持部５が囲繞壁５ａをもって突設される。囲繞壁５ａの内方にはナット把持凹部５ｂが形成される。
ナット把持凹部５ｂはナットの形態に対応して六角形をなし、当該部位に装着される固定具１７のナット１７ｂを把持し、その回転を阻止する。ナット把持凹部５ｂはボルト挿通孔４に連通する。
ナット把持部５により、本閉弁付勢手段１Ａの装着操作の確実性が向上する。すなわち、ナット１７ｂの共回りによる閉弁付勢手段１Ａのばね部２Ａの回転ぶれが阻止され、容易に本閉弁付勢手段１Ａを取り付けることができる。
【００２９】
成形・組立て
本体部１０は円筒体１１・係止部１４・隔壁部１２・突条２４が一体成形される。当該成形は射出成形によることも、あるいは個々に作製されたのち接着接合により一体化されてもよい。隔壁部１２のボルト挿通孔１８は適宜穿設される。
弁体１３、閉弁付勢手段１、スペーサー環１５は別途製作される。弁体１３のボルト挿通孔１９は隔壁１２のボルト挿通孔１８に対応して穿設される。
これらの本体部１０への組立てにつき、固定具１７のボルト１７ａが隔壁部１２の背面より差し込まれ、該ボルト１７ａのボルト杆に弁体１３、次いで閉弁付勢手段１がそのボルト挿通孔１９，４を介して挿通され、ナット１７ｂを螺合し、該ナット１７ｂの回動締込みをもってこれらは一体化される。
しかる後、スペーサー環１５が被嵌される。
【００３０】
設置の態様
本実施形態では、特に取付け管Ｎの設置角度αが２０°前後であることを想定して構成されたものであり、更に前記したように、当該αに対応して他の角度要素、すなわち弁体１３の閉弁角度βが設定される。これにより、弁体１３は垂直（すなわち９０°）未満を採り、その自重に加え閉弁付勢手段１により常時は閉弁状態を採る。
【００３１】
（本実施形態の作用）
以上の構成よりなる本防臭装置Ｓは、所期の状態で下水道管渠用枡Ｍの取付け管Ｎに対して取り付けられ、また、所期の機能として排水並びに防臭機能を発揮する。
【００３２】
取付け（図８参照）
下水道管渠用枡Ｍにおいて、本防臭装置Ｓの本体部１０を取付け管Ｎの排水口１１０に臨ませ、該本態部１０を取付け管Ｎ内に挿入し、適宜の操作器具を介して、あるいは介さずに手作業で、本体部１０を取付け管Ｎ内に押し込む。
取付け管Ｎは所定の角度αに下方に傾斜しているものであり、かつ該取付け管Ｎは小径であり、該本体部１０の前端は斜めに切頭されたものであり、この挿入操作を円滑になす。加えて、更なる本体部１０の押込みにより、そのスペーサー環１５の取付け管Ｎの内壁への弾圧作用により取付け管Ｎとの中心保持がなされる。
本体部１０を更に押し込み、係止部１４の係止筒２２は排水口１１０に係合する。これにより、本防臭装置Ｓは所定位置に取り付けられる。
【００３３】
取外し（図８参照）
下水道管渠用枡Ｍから本防臭装置Ｓを取り外す場合、係止部１４の係止筒２２の内孔２２ａに適宜の治具を係止させ、該治具を介して本防臭装置Ｓを取付け管Ｎより引き抜く。この引抜き作業は、係止筒２２が排水口１１０に露出して係止されていることにより、容易になされる。なお、治具に機械装置を連動することも、治具を介さず手動によることも可能である。
【００３４】
閉弁作用・防臭作用
本防臭装置Ｓは取付け管Ｎ内に所定の状態で取り付けられ、常時において閉弁状態を保持する。
すなわち、本体部１０において、弁体１３は傾斜状態をもって隔壁１２の開口１２ｃを閉塞する。この閉弁作用は弁体１３の自重、更には閉弁付勢手段１の付勢作用（弁体１３の本体部１３ｂへの押付け力）により密閉性を保持し、妄動はない。取付け管Ｎと本体部１０との間隙はスペーサー環１５によって密封されている。
また、取付け管Ｎの設置角度αが急傾斜をなし、本防臭装置Ｓの隔壁１２の角度が鉛直を超えるとき、閉弁付勢手段１の付勢作用により弁体１３は確実に弁座に当接され、弁口１２ｃを塞ぎ、閉弁作用を持続する。
この弁体１３の閉弁により、下水道本管Ｐからの臭気は遮断される。
【００３５】
排水作用
本防臭装置Ｓは上記の状態で取付け管Ｎ内に取り付けられ、流水の流入時において排水作用をなす。
今、降雨があったとき、雨水が雨水枡Ｍに流れ込み、排水口１１０まで上昇し、取付け管Ｎより下水道本管Ｐへ排出される。
流水は水圧をもって弁体１３の自重及び閉弁付勢手段１の付勢力に抗して開き、流下する。この作用は、弁体１３が常態の傾斜角度を保持する場合においても、また、弁体１３が９０°を超える場合においても同様である。
本実施形態においては、弁体１３の枢着部は本体部１０の８割水深を占め、満水常態になることなく、大量の流水に対して効率的な排水がなされる。
【００３６】
（本実施形態の効果）
本実施形態の防臭装置Ｓによれば、取付け管Ｎへの装着作業に際して挿入操作が容易で、作業効果が向上する。また、取外し操作においても、係止筒２２が排水口１１０に露出して係止されていることにより、容易になされる。
取付け後は、常時に閉弁状態を維持し、防臭作用をなすとともに、流水の流入に対しても的確に対処できる。すなわち、本防臭装置Ｓがどのような傾斜をもって取付け管Ｎ内に配されたとしても（特には弁体１３が鉛直を超える状態となるとき）、本閉弁付勢手段１の付勢作用により弁体１３は確実に閉弁作用を発揮する。
【００３７】
（他の実施態様）（図９〜図１１参照）
本実施形態の防臭装置の別の態様として、図９〜図１１に示すように、ピンによる開閉弁（主弁）並びに副弁を備えた防臭装置Ｓ１を示す。
本防臭装置Ｓ１において、円筒体１１、係止部１４の構成は、先の実施形態に準じる。また同じく、隔壁１２は両側部１２ａと上方部１２ｂとにより門形をなし、該門形内に矩形状の開口１２ｃを形成する。
弁体については、当該開口１２ｃに主弁としての弁体１３Ａが定位置で密閉状を保持して、かつピンを介して回動的に閉塞（閉弁）する。このため、隔壁１２の前部上方位置に第１ピン保持体２６が相対峙して突設され、また、弁体１３Ａの前部の上部にこれらに対応して第２ピン保持体２７が突設され、これらに跨がってピン２８が枢着されてなる。
隔壁１２ひいては弁体１３Ａの取付け角度βは先の態様に比べて急なものとなっており、弁体１３Ａはほぼ鉛直状態となる。
更に言えば、弁体１３Ａの下端は円弧をなし、円筒体１１の前端面１１ａに着座する。これにより弁体１３Ａの停止位置が決まる。なお、該弁体１３Ａの下端は円筒体１１の前端面１１ａより突出することはない。また、該弁体１３Ａの下端は円筒体１１内に着座されてもよい。
該弁体１３Ａの前部の両側縁部に沿って、隔壁１２に張り出すストッパー３０が取り付けられ、閉弁状態で隔壁１２の前面に着座する。従って、弁体１３Ａの停止は先の円筒体１１の前端面１１ａとの当接、並びにこのストッパーの隔壁１２との当接で決まる。ストッパー３０は適宜省略できる。
本実施形態において、弁体１３Ａのピン２８の位置は本装置Ｓが取付け管Ｎ内に設置されたとき、取付け管Ｎの水深８割位置、いわゆる８割水深位置を採る。なお、取付け管Ｎと円筒体１１との間隔が無視できる場合には、円筒体１１の管渠の８割とされる。
この弁体１３Ａに対して、閉弁付勢手段１Ｂが隔壁１２の上方部１２ｂと該弁体１３Ａとに跨がって配される。
【００３８】
（副弁）
主弁の弁体１３Ａの上部に同じくピン軸をもって主弁との逆方向に開閉する副弁としての開閉弁３２が配される。
すなわち、主弁体１３Ａの上部には開口３３が開設され、該主弁体１３Ａには該開口３３に臨んでその背部上方位置に第１ピン保持体３４が相対峙して突設され、また、副弁３２の背部の上部にこれらに対応して第２ピン保持体３５が突設され、これらに跨がってピン３６が枢着されてなる。
しかして、この副弁の開閉弁３２に対して閉弁付勢手段１Ｃが隔壁１２の上方部１２ｂと該弁体３２とに跨がって配される。２Ｃはばね部、３Ｃは取付け用基部である。該閉弁付勢手段１Ｃの取付け用基部３Ｃを介しての取付けはボルト・ナットによることも、接着剤によることも自由である。
該副弁としての開閉弁３２はピンによる枢着に限定されず、先の実施形態で示したＶ溝を有する弁体１３の構造のものを適用することができる。この場合、上部の取付け部は隔壁１２に固定され、下部の弁本体部は開口３３に被さるものであり、かつ、本閉弁付勢手段１Ｃはその取付け用基部３Ｃが隔壁１２に固定される。
【００３９】
（本防臭装置Ｓ１の作用）
本臭気防止装置Ｓ１の雨水枡等の下水道管渠用枡Ｍの取付け管Ｎへの設置の態様は先の臭気防止装置Ｓでの説明に準じる。したがって、その取付け・取外しにおける作用も同様となる。
取付け管Ｎから発生する臭気は、本臭気防止装置Ｓ１における開閉弁１３Ａ及び副弁３２により閉塞され、地上へは逸出しない。すなわち、弁体１３Ａ及び副弁３２はともに閉弁付勢手段１Ｂ及び１Ｃにより閉弁方向に付勢された付勢力により確実に閉弁される。
雨水枡Ｍでの流水につき、排水口１１０より流出する流水はその水圧により本弁体１３Ａの自重並びに本弁体１３Ａに付加的に作用する閉弁付勢手段１Ｃの付勢力に抗して本弁体１３Ａを押し開き、下水道本管Ｐへ排出する。
そして、下水道本管Ｐ内での異常圧の発生については、副弁３２が開弁し、該下水道本管Ｐ内での異常圧を円滑に逃がし、該異常圧による損壊は防止される。
【００４０】
（本防臭装置Ｓ１の効果）
先の防臭装置Ｓと同様、取付け管Ｎへの取付け姿勢に左右されず、開閉弁の閉弁を確実になすことができ、所期の作用を発揮することができる。
本防臭装置Ｓ１では更に、副弁としての開閉弁３２により下水道本管Ｐ内の異常圧の発生を防止することができる。
【００４１】
（他の実施形態）（図１２〜図１４参照）
図１２〜図１４は本発明の枢着式開閉弁の閉塞機構を備えた更に他の下水道管渠用臭気防止装置Ｓ２への適用例を示す。
本下水道管渠用臭気防止装置（以下単に「臭気防止装置」という）Ｓ２は、図１５に示すように、下水道管渠用枡Ｍの蓋部に配され、当該枡Ｍの蓋部から下水道本管Ｐへの雨水・排水の流下を図り、下水道本管Ｐからの臭気の逸出を防止するものである。
【００４２】
図１２〜図１４に示すとおり、この臭気防止装置Ｓ２は、天板部４０、及び２つの側面板４１と上下の前面板４２，４３と底面板４４とからなる集水筒部４５を含み、該集水筒部４５の下部前面板４３に取付け式開閉弁４７が固定具４８を介して装着されてなる。天板部４０と集水筒部４５とにより、本臭気防止装置Ｓ２の「箱体」を構成する。
しかして、この取付け式開閉弁４７に対して閉弁付勢手段１Ｄが配されてなる。
【００４３】
以下、更に詳しく説明する。
天板部４０
天板部４０は、全体が矩形平板状をなし、中央において大きく矩形状の挿入口４０ａ（符号のみ）を有する。また、その縁部４０ｂをもって雨水ますＭの本体の上縁部に載置される。
【００４４】
集水筒部４５
集水筒部４５は、所定間隔をもって相対峙して配される右左の側面板４１、該側面板４１の前端に跨がって配される上下の前面板４２，４３、及び該側面板４１の底辺に跨がって配される底面板４４の組合わせよりなり、箱空間を形成する。しかして、該集水筒部４５は上部が天板部４０の挿入口４０ａに連通する大きな集水口４５ａに形成されるとともに、前面（前面板４３）に排水口４５ｂが形成され、集水口４５ａから流入した雨水は内部空間を通って排水口４５ｂより流れ出る。
【００４５】
（下部前面板４３）
下部前面板４３は、側面板４１の前端の下部において側面板４１間に跨がって配されるとともに、排水口４５ｂとしての開口（弁口）が形成され、該開口４５ｂ回りに弁体の着座する突条の弁座５０が突設される。弁座５０は同一平面をなす。弁座５０は鉛直面とθの傾斜をなし、下方に向けて外方に傾斜する。なお、θは０°すなわち鉛直状であってもよい。突条体としての弁座５０は場合によっては省略され得るが、この場合には下部前面板４３の平坦面が弁座の機能を果す。
該下部前面板４３の上部には、複数（少なくとも２、本実施形態では４）の第１取付け孔５１が同一水準を保って開設される。
【００４６】
取付け式開閉弁４７
取付け式開閉弁４７は、ブラケットを有する帯板５３と、該帯板５３の第１ブラケット５４に枢着される開閉弁本体５５とからなる。しかして、帯板５３は下部前面板４３の上部に固定具４８をもって固定され、開閉弁本体５５は帯板５３の第１ブラケット５４に枢着されて下部前面板４３の開口４５ｂを開閉する。
該取付け式開閉弁４７の素材は、非変形性・硬質性の要請から金属あるいは硬質合成樹脂が使用されるが、更に防錆性の観点からステンレス鋼が推奨される。
【００４７】
詳しくは、帯板５３は硬質の帯状体よりなり、両端に直角状に折り曲げられ前面に突出する第１ブラケット５４を有する。帯板５３には下部前面板４３の上部の第１取付け孔５１に対応して同位相をもって第２取付け孔５６（符号のみ）が開設される。取付け定位置において、第１取付け孔５１と第２取付け孔５６とは一致され、両孔５１，５６にわたって固定具４８が装着される。第１ブラケット５４にはピン孔５７が開設される。
開閉弁本体５５は、弁座５０を覆う実質的に平板状をなす平板弁部５９と、該平板弁部５９の両側の上端において上方に延設される第２ブラケット６０とからなる。平板弁部５９は、弁座５０を十分に覆う所定の長さと幅を有する方形状の平板部を主体とし、本実施形態では両側縁への折り曲げ部と下方縁での折り曲げ部とを有する。
第２ブラケット６０は平板部の側縁折り曲げ部の上端に連接し、一体に固定される。第２ブラケット６０の相互の間隔は帯板５３の両側の第１ブラケット５４よりも若干大きくとられる。
第２ブラケット６０には第１ブラケット５４のピン孔５７に対応してピン孔６１が開設される。第１ブラケット５４と第２ブラケット６０とはワッシャーを介して互いに対接され、それらのピン孔５７，６１にピン６２が枢着される。
【００４８】
取付け式開閉弁４７はこの構成により帯板５３と開閉弁本体５５とが一体となり、開閉弁本体５５はピン６２を回動中心となって開閉動作をなす。
更に、取付け式開閉弁４７はブラケット５４，６０を介しての枢着となり、開閉弁本体５５の回転中心が前方へ突出して偏心するので、開閉弁本体５５の開き動作が迅速なものとなる。
【００４９】
固定具４８
固定具４８は、取付け式開閉弁４７を集水筒部４５の前面板４３の所定位置に取り付ける。本実施形態ではボルト６４及びナット６５を採り、該取付け式開閉弁４７を前面板４３に対し、着脱可能とする。
すなわち、前面板４３の第１取付け孔５１と本取付け式開閉弁４７の第２取付け孔５６とを一致させ、これらの孔５１，５６にボルト６４を装着し、ナット６５を締め込んで取付け式開閉弁４７の取付けをなす。ボルト６３は前面板４３の背面から装着され、そのねじ部を前面を突出させ、適宜ワッシャーを介装させ、ナット６４を螺合し、締め込んでなす。
この固定具４８での取付けにより、取付け式開閉弁４７は所定の配設関係を採る。すなわち、該取付け式開閉弁４７の平板部５６は弁座５０に均等に当接し、密閉性を保持する。また、側方折り曲げ部及び下方折り曲げ部は下部前面板４３に回り込み、密閉性を高める。
【００５０】
閉弁付勢手段１Ｄ
本実施形態では、閉弁付勢手段１Ｄは取付け式開閉弁４７に対して、対称を保って、複数（本実施形態では２）配されてなる。
すなわち、本閉弁付勢手段１Ｄは取付け式開閉弁４７の帯板５３と開閉弁本体５５とに跨がって、両側に２箇所に配される。すなわち、その取付け基部３Ｄは帯板５３に適宜の固定手段（接着剤を含む）を介して固定され、ばね部２Ｄの先端は開閉弁本体５５の表面に当接される。
図例では、本閉弁付勢手段１Ｄは固定具４８の中間位置を採るが、固定具４８と同位置、すなわち該固定具４８のボルト６４に固定される態様を採ることもできる。
【００５１】
（本臭気防止装置Ｓ２の設置）
本臭気防止装置Ｓ２は雨水ます・汚水ますに対して、次の要領で設置される。
図１５はその設置要領を示し、本臭気防止装置Ｓ２は、その天板部４０の縁部４０ｂを雨水ますＭの本体１００の上縁１０１に載置し、集水筒部４５を内部空間に配し、蓋体１０６を天板部４０上に載置する。天板部４０は薄板をなすので、蓋体１０６の設置に何らの影響を与えない。
【００５２】
（本臭気防止装置Ｓ２の機能）
取付け管Ｎから発生する臭気は、本臭気防止装置Ｓ２における取付け式開閉弁４７により常時閉塞され、地上へは逸出しない。
降雨において、雨水は蓋体１０６の集水孔１０４より流入し、本臭気防止装置Ｓ２の集水口４５ａより集水筒部４５内に流れ込み、排水口４５ｂに至る。この流水圧は排水口４５ｂにおける取付け式開閉弁４７の開閉弁本体５５を開き、雨水は雨水ますＭから取付け管Ｎを介して下水道本管Ｐへ流れ出る。
【００５３】
（本臭気防止装置Ｓ２の作用）
本実施形態の下水道用臭気防止装置Ｓ２によれば、取付け式開閉弁４７の開閉につき、その枢着部により開閉が円滑になされる。
すなわち、その取付け式開閉弁４７はブラケット５４，６０を介しての枢着となり、開閉弁本体５５の回転中心が前方へ突出して偏心するので、開閉弁本体５５の開き動作が迅速なものとなり、排水作用が向上する。
そして、本臭気防止装置Ｓ２の開閉弁本体５５は、閉弁付勢手段１Ｄにより閉弁方向の付勢力を受け、確実に閉弁作用を発揮する。
また、本防止装置Ｓ２の組立てにおいて、取付け式開閉弁４７は帯板５３を介して、固定具４８の装着のみで容易になされ、良好な作業性を発揮する。
【００５４】
（本臭気防止装置Ｓ２の効果）
本臭気防止装置Ｓ２によれば、その常態の設置姿勢を採るとき、その開閉弁本体５５は、その自重により弁座５０に当接するとともに閉弁付勢手段１Ｄにより閉弁方向の付勢力を受け、確実に閉弁する。
下水道管渠用枡Ｍの上部枠１０１が常態よりずれ、本臭気防止装置Ｓ２の取付け姿勢が傾斜し、弁座５０の取付け角度θが鉛直を超えるとき、その開閉弁本体５５は本閉弁付勢手段１Ｄにより閉弁方向の付勢力を受けているので、閉弁作用を持続することができる。
したがって、本臭気防止装置Ｓ２はどのような取付け姿勢によっても臭気の防止をなすことができる。
【００５５】
本発明は叙上の実施の形態にのみ限定されるものではなく、本発明の基本的技術思想の範囲内で種々設計変更が可能である。
【図面の簡単な説明】
【００５６】
【図１】本発明の一実施形態の閉弁付勢手段を備えた枢着式開閉弁を有する下水道管渠用臭気防止装置の全体の構成を示す側面図（図３の１方向矢視図）。
【図２】本装置の中央縦断面図（図３の２−２線断面図）。
【図３】本装置の正面図（図１、図２の３方向矢視図）。
【図４】閉弁付勢手段の一態様の断面図（図５の４−４線断面図）。
【図５】図４の５線矢視図。
【図６】閉弁付勢手段の他の態様を示す平面図（図７の６方向矢視図）。
【図７】図６の７−７線断面図。
【図８】本下水道管渠用臭気防止装置の下水道管渠用枡への設置の態様を示す図。
【図９】本発明の他の実施形態の閉弁付勢手段を備えた枢着式開閉弁を有する下水道管渠用臭気防止装置の全体の構成を示す正面図（図１１の９方向矢視図）。
【図１０】図９の１０−１０線断面図。
【図１１】図１０の１１方向矢視図。
【図１２】本発明の更に他の実施形態の閉弁付勢手段を備えた枢着式開閉弁を有する下水道管渠用臭気防止装置の全体の構成を示す側面図（図１３の１２方向矢視図）。
【図１３】図１２の１３方向矢視図。
【図１４】図１３の１４部分の拡大図。
【図１５】本下水道管渠用臭気防止装置の下水道管渠枡への設置の態様を示す図。
【符号の説明】
【００５７】
Ｓ，Ｓ１…下水道管路用防臭装置、Ｓ２…下水道管路用臭気防止装置、Ｍ…下水道管路用枡、Ｎ…取付け管、１，１Ａ，１Ｂ，１Ｃ，１Ｄ…閉弁付勢手段、２，２Ａ，２Ｂ，２Ｃ，２Ｄ…ばね部、３，３Ａ，３Ｂ，３Ｃ，３Ｄ…取付け用基部、４…ボルト挿通孔、５…ナット把持部、１０…本体部、１１…円筒部、１２…隔壁、１２ａ…側部、１２ｂ…上方部、１２ｃ…開口、１３，１３Ａ…弁体、１３ａ…取付け部、１３ｂ…弁本体部、１３ｃ…Ｖ溝、１４…係止部、１５…スペーサー環、２１…腕部、２２…係止部、２６…第１ピン保持部、２７…第２ピン保持部、２８…ピン、４７…取付け式開閉弁、５４，６０…ブラケット、６１…ピン
【図１】
0004996356.tif 000002
【図２】
0004996356.tif 000003
【図３】
0004996356.tif 000004
【図４】
0004996356.tif 000005
【図５】
0004996356.tif 000006
【図６】
0004996356.tif 000007
【図７】
0004996356.tif 000008
【図８】
0004996356.tif 000009
【図９】
0004996356.tif 000010
【図１０】
0004996356.tif 000011
【図１１】
0004996356.tif 000012
【図１２】
0004996356.tif 000013
【図１３】
0004996356.tif 000014
【図１４】
0004996356.tif 000015
【図１５】
0004996356.tif 000016